(57)【特許請求の範囲】
【請求項１】
内容物を収納する容器本体と、この容器本体の口部に組み合わさり、容器本体内の内容物を各櫛歯より排出する櫛部とからなる櫛付き容器において、
前記櫛部は、容器本体の口部に係合し、容器本体内の内容物を導通させる内筒を備えたベース部分と、このベース部分の内筒にかぶさり、ベース部分の基端を基準にして該内筒の回りに回動自在な櫛歯部分とからなり、
前記内筒に、その長手方向に沿う向きに配列させた矩形状をなす上下２段の開口を設け、
この上下２段の開口のうち、上側に位置する開口を、下側に位置する開口よりも広い開口幅を有するものとするか、又は、上側に位置する開口を、下側に位置する開口よりも狭い開口幅を有するものとして、前記櫛歯部分の回動により上側に位置する開口及び下側に位置する開口の両方を櫛歯部分に設けられた櫛歯の経路の全領域に合致させて全開状態とするか、上側に位置する開口又は下側に位置する開口のみを櫛歯部分に設けられた櫛歯の経路に位置させて半開状態とし、
前記べース部分の内壁面に突起を設け、櫛歯部分には、櫛歯部分を回動させて全開あるいは半開吐出のための位置合わせを行う際に該突起に適合して櫛歯部分の動きを規制する凹部を設けた、ことを特徴とする櫛付き容器。
【請求項２】
櫛歯部分は、各櫛歯を全てにおいて連続的に貫通する貫通孔を有する請求項１記載の櫛付き容器。
【発明の詳細な説明】
【０００１】
【発明の属する技術分野】
本発明は、容器内の内容物を櫛歯の先端より排出するタイプの櫛付き容器に関し、内容物の吐出量を、状況に応じて簡便に変更しようとするものである。
【０００２】
【従来の技術】
染毛料を頭髪に塗布するのに使用される櫛付き容器は、容器の本体部分を繰り返し押圧することによって内容物を排出するスクイズタイプのものや加圧媒体を利用して内容物を排出するエアゾールタイプのものが知られており、この点に関する先行技術としては、櫛歯の幅を櫛歯の厚みよりも大きくし、注出口が櫛歯の対向する面に設けられた染毛用塗布具について提案された特開平９−２３９２２号公報が参照される。
【０００３】
ところで、上記のような従来の櫛付き容器は、タイプのいかんに係わらず、内容物が各櫛歯から一斉に、それも一定の吐出量にて排出される構造になっているのが普通であるところ、近年、この種の容器においては、櫛歯の局所領域に内容物を排出して部分的な塗布を可能としたり、吐出量の変更ができるものが求められてきており、そのような要求を満足できる容器の開発が望まれている。
【０００４】
【発明が解決しようとする課題】
本発明の課題は内容物の部分的な吐出や吐出量の変更を簡便に行い得る新規な櫛付き容器を提案するところにある。
【０００５】
【課題を解決するための手段】
本発明は、内容物を収納する容器本体と、この容器本体の口部に組み合わさり、容器本体内の内容物を各櫛歯より排出する櫛部とからなる櫛付き容器において、
前記櫛部は、容器本体の口部に係合し、容器本体内の内容物を導通させる内筒を備えたベース部分と、このベース部分の内筒にかぶさり、ベース部分の基端を基準にして該内筒の回りに回動自在な櫛歯部分とからなり、
前記内筒に、その長手方向に沿う向きに配列させた矩形状をなす上下２段の開口を設け、
この上下２段の開口のうち、上側に位置する開口を、下側に位置する開口よりも広い開口幅を有するものとするか、又は、上側に位置する開口を、下側に位置する開口よりも狭い開口幅を有するものとして、前記櫛歯部分の回動により上側に位置する開口及び下側に位置する開口の両方を櫛歯部分に設けられた櫛歯の経路の全領域に合致させて全開状態とするか、上側に位置する開口又は下側に位置する開口のみを櫛歯部分に設けられた櫛歯の経路に位置させて半開状態とし、
前記べース部分の内壁面に突起を設け、櫛歯部分には、櫛歯部分を回動させて全開あるいは半開吐出のための位置合わせを行う際に該突起に適合して櫛歯部分の動きを規制する凹部を設けた、ことを特徴とする櫛付き容器であり、櫛歯部分は、各櫛歯を全てにおいて連続的に貫通する貫通孔を有するものとする。
【０００６】
【発明の実施の形態】
櫛部のベース部分に容器本体内の内容物を導通させる内筒を設け、この内筒に櫛歯から排出される内容物の吐出領域を選択的に変更するための開口を形成する。
【０００７】
【実施例】
以下、図面を用いて本発明をより具体的に説明する。
図１は本発明に従う櫛付き容器の全体構成を示したものである。
図においてＡはスクイズタイプあるいはエアゾールタイプ等、種々のものが適用することができる容器本体、Ｂは容器本体Ａの口部に組み合わさる櫛部である。
【０００８】
櫛部Ｂは容器本体Ａ内の内容物を導通させる通路を形成する内筒１を備えたベース部分２と、内筒１にかぶさりベース部分２の基端Ｐを基準にして内筒１の回りに回動自在な櫛歯部分３とからなる。櫛歯部分３には複数の櫛歯３ａが配列されていてその内部には内容物を排出する経路ｒがそれぞれ設けられている。そして経路ｒは各櫛歯３ａの厚さ方向において連続的に貫通する貫通孔ｓにつながっていて、そこから内容物を排出する。
【０００９】
図２は上掲図１に示した櫛部Ｂにつき、それを分解状態で示した外観図であって、図における４ａ、４ｂは内筒１の長手方向に沿い上下２段の例で示した開口である。この開口４ａ、４ｂは何れも櫛歯３ａの経路ｒにつながるものであり、下側に位置する開口４ａは比較的狭幅の開口幅を有し、上側に位置する開口４ｂは開口４ａよりも広い開口幅を有する。
【００１０】
また、５は櫛歯部分３に設けられ櫛歯３ａの経路ｒの位置を表示する突起、６、７はベース部分２に設けられた突起であって、これらの突起のうち突起６は開口４ａ、４ｂが櫛歯３ａの経路ｒの全領域に面している全開状態を表示し、突起７は開口４ｂが上側に位置する３つの櫛歯３ａの経路ｒに面している半開状態を表示する。
【００１１】
櫛歯部分３を回動させ、それに設けた突起５をベース部分２に設けた突起６に合致させるべく櫛歯部分３を図３の仮想線で示したようにすると、開口４ａ、４ｂが櫛歯３ａの全ての経路ｒと連通することになり、この状態で容器本体１から内容物を排出すると内容物は櫛歯３ａの全てから吐出されることになる。
【００１２】
一方、櫛歯部分３を回動させ、それに設けた突起５をベース部分２に設けた突起７に合致させるべく図３の実線で示したようにすると、開口４ｂが上側に位置する３つの櫛歯３ａの経路ｒとのみ連通することになり、この状態で容器本体１から内容物を排出すると内容物は上側の３つ櫛歯３ａから吐出されることになり、この時、内容物の吐出量は全開時の半分となる。
【００１３】
全開状態における内筒１の平面を図４に、また、半開状態における内筒１の平面を図５にそれぞれ示す。
【００１４】
図６は、上掲図１のＣ−Ｃ断面を示したものである。櫛歯部分３を回動させて全開あるいは半開吐出のための位置合わせを行なうに当たっては、ベース部分２の内壁面に突起２ａを設け、櫛歯部分３には、突起２ａに適合する凹部３ｂを設け突起２ａにて櫛歯部分３の動きを規制する。
【００１５】
上掲図１では、内筒１に櫛歯３ａにおける吐出領域を選択的に変更する上下２段の開口４ａ、４ｂを設け、櫛歯部分３を回動させて全開状態、あるいは半開状態で内容物を吐出する２ウエイ形式を例として示したが、かかる開口４ａ、４ｂの形成領域は逆転させることも可能であり、また、櫛歯３ａの経路ｒに連通する開口を一つおきに設けることもでき、この場合には、内容物の吐出量を半減した状態で櫛歯３ａの長手方向に沿いほぼ均一に内容物を排出することが可能となる。さらに、櫛歯部分３の回動にて開口４ａ、４ｂを全閉状態とし、容器の流通時あるいは不使用時の不用意な押圧に基づく内容物の吐出を防止する構造を選択することも可能である。
【００１６】
容器本体Ａの材質は本発明ではとくに限定はされないが、とくにスクイズタイプのものを適用するに当たっては、その容積を容易に縮減できる柔軟性に富む合成樹脂からなる容器が有利に適合する。
【００１７】
櫛部Ｂについては廃棄時の分別回収を容易にする観点から、より好ましくは容器本体Ａと同一材質のものにて構成することができるが、塗布面に悪影響を与えないものであればその材質について限定はされない。
【００１８】
【発明の効果】
本発明によれば、櫛歯から排出される内容物の吐出量を簡便な仕組みでもって変更できるので、需要者の使用形態に応じた対応が可能になる。
【図面の簡単な説明】
【図１】  本発明に従う櫛付き容器の全体構成を示した図である。
【図２】  櫛部の外観を分解状態で示した図である。
【図３】  本発明に従う櫛付き容器の使用要領の説明図である。
【図４】  全開状態における内筒の平面を示した図である。
【図５】  半開状態における内筒の平面を示した図である。
【図６】  図１のＣ−Ｃ断面を示した図である。
【符号の説明】
Ａ  容器本体
Ｂ  櫛部
１  内筒
２  ベース部分
３  櫛歯部分
３ａ  櫛歯
３ｂ  凹部
４ａ  開口
４ｂ  開口
５  突起
６  突起
７  突起
ｒ  経路
【図１】
0004278851.tif 000002
【図２】
0004278851.tif 000003
【図３】
0004278851.tif 000004
【図４】
0004278851.tif 000005
【図５】
0004278851.tif 000006
【図６】
0004278851.tif 000007